(57)【要約】【課題】アッパカバーを開けずにベルトの位置を確認することができるボール盤を提供する。【解決手段】ロアカバー８のうち、少なくとも作業者側の部位を透明部材で形成したため、アッパカバー９を開けなくても作業者側の多段変速プーリ１３とベルト１５の一部が見え、ベルト１５の位置（回転数）を目視で確認することができる。また、ロアカバー８全体を透明部材で形成するようにすれば、両方の多段変速プーリ１３、１４と、ベルト１５の全体が見え、ベルト１５の位置だけでなく、内部の汚れなど全体状況を確認できる。従って、ボール盤１のメンテナンスを行う上において便利である。そして、ロアカバー１７に窓１８を形成し、そこに透明樹脂１９を取付ける構造にすれば、既存のロアカバー１７に対して後作業で透明窓を形成することができ、ロアカバー１７全体を透明なものに交換したりする場合に比べてコストの面で有利である。【選択図】      図４
2009066729.tif 000002
【特許請求の範囲】
【請求項１】
上部が開放した容器型のロアカバーと、該ロアカバーの上部を開閉自在に覆うアッパカバーとから形成されたヘッドケースを上部に備え、該ヘッドケース内にベルトを掛け回した一対の多段変速プーリを収納したボール盤において、
前記ロアカバーのうち、少なくとも作業者側の部位を透明部材で形成したことを特徴とするボール盤。
【請求項２】
ロアカバー全体を透明部材で形成したことを特徴とする請求項１記載のボール盤。
【請求項３】
ロアカバーの作業者側部位に窓を形成し、該窓に透明部材を取付けたことを特徴とする請求項１記載のボール盤。
【発明の詳細な説明】
【技術分野】
【０００１】
本発明はボール盤に関するものである。
【背景技術】
【０００２】
従来より、ドリルを用いて孔あけ加工を行うための工作機械としてボール盤が知られている。この種のボール盤としては、ドリルの種類に応じて回転数を変えるために、モータの回転軸とドリルの主軸にそれぞれを多段変速プーリを取付け、各多段変速プーリの間にベルトを掛けている。
【０００３】
多段変速プーリ及びベルトは、ボール盤の上部に設けられたヘッドケース内に収納されている。多段変速プーリ及びベルトは、高速で駆動するため、接触防止や防塵のためにヘッドケースによって保護されている。ヘッドケースはロアカバーとアッパカバーから構成され、アッパカバーを開けてベルトを手で操作して、多段変速プーリにおけるベルトが掛かる位置を変更することにより、ドリルの回転数を変更することができる。ベルトの位置を変更した後、安全のためにアッパカバーは閉められる（例えば、特許文献１参照）。
【特許文献１】特開２０００−９４２０７号公報
【発明の開示】
【発明が解決しようとする課題】
【０００４】
しかしながら、このような従来の技術にあってはベルト位置を変更した後にアッパカバーを閉めるため、多段変速プーリにおけるベルトの位置を確認したい場合には、再度アッパカバーを開けて内部を見なければならず面倒である。特に、卓上型のボール盤の場合は、ヘッドケースの位置が高くなるため、小柄な人にはアッパカバーを開けて、ヘッドケースの内部を確認するのが大変である。
【０００５】
本発明は、このような従来の技術に着目してなされたものであり、アッパカバーを開けずにベルトの位置を確認することができるボール盤を提供するものである。
【課題を解決するための手段】
【０００６】
請求項１記載の発明は、上部が開放した容器型のロアカバーと、該ロアカバーの上部を開閉自在に覆うアッパカバーとから形成されたヘッドケースを上部に備え、該ヘッドケース内にベルトを掛け回した一対の多段変速プーリを収納したボール盤において、前記ロアカバーのうち、少なくとも作業者側の部位を透明部材で形成したことを特徴とする。
【０００７】
請求項２記載の発明は、ロアカバー全体を透明部材で形成したことを特徴とする。
【０００８】
請求項３記載の発明は、ロアカバーの作業者側部位に窓を形成し、該窓に透明部材を取付けたことを特徴とする。
【発明の効果】
【０００９】
請求項１記載の発明によれば、ロアカバーのうち、少なくとも作業者側の部位を透明部材で形成したため、アッパカバーを開けなくても作業者側の多段変速プーリ及びベルトの一部が見え、ベルト位置を目視で確認することができる。ベルト位置を確認できるため、回転数を知ることができる。
【００１０】
請求項２記載の発明によれば、ロアカバー全体を透明部材で形成したため、両方の多段変速プーリと、ベルト全体が見え、ベルト位置だけでなく、ヘッドケースの内部の汚れなど全体状況を確認できる。従って、ボール盤のメンテナンスを行う上において便利である。
【００１１】
請求項３記載の発明によれば、ロアカバーに窓を形成し、そこに透明部材を取付ける構造にしたため、既存のロアカバーに対して後作業で透明窓を形成することができ、ロアカバー全体を透明なものに交換したりする場合に比べて、コストの面で有利である。
【発明を実施するための最良の形態】
【００１２】
（第１実施形態）図１〜図４は、本発明の第１実施形態を示す図である。この実施形態に係るボール盤１は卓上型で、図示せぬ作業台の上に設置されており、全体として高い位置にある。
【００１３】
ボール盤１は、ベース２、支柱３、テーブル４、ハンドル５、ドリルチャック６などを備えている。ドリルチャック６にはドリル６ａが取り付けられ、ドリル６ａは後述するヘッドケース７内部の機構によって回転される。ハンドル５を回すと、ドリルチャック６に保持されたドリル６ａが回転しながら下降し、孔あけ加工を行うことができる。図１中、左側が作業者側で、ハンドル５は作業者の右手で操作される。
【００１４】
ボール盤１の上部にはヘッドケース７が設置されている。ヘッドケース７は、上部が開放した容器状のロアカバー８と、そのロアカバー８の上部を開閉自在に覆うアッパカバー９とから構成されている。アッパカバー９は不透明樹脂製で、ロアカバー８は全体が透明樹脂（透明部材）製で形成されている。
【００１５】
ロアカバー８の作業者寄りの底面からは、ドリルチャック６を回転させる主軸１０が突出されており、作業者から遠い側の底面からはモータ１１の回転軸１２が突出されている。主軸１０及び回転軸１２には、それぞれ多段変速プーリ１３、１４が上下逆になる関係で取付けられ、その多段変速プーリ１３、１４間にループ状のベルト１５が掛け回されている。多段変速プーリ１３、１４におけるベルト１５の位置を変更することにより、ドリルチャック６の主軸１０の回転数が変化する。作業者は使用するドリル６ａの径や、作業内容により、回転数を選択する。
【００１６】
ドリル６ａの回転数を変えるためにベルト１５の位置を変更する場合は、アッパカバー９を開け（図３）、内部のベルト１５を手で持って一対の多段変速プーリ１３、１４における係合位置（上下位置）を変える。ベルト１５の位置を変更した後、安全のため、アッパカバー９を閉めて、ヘッドケース７を閉塞する。
【００１７】
そして、作業後に、ヘッドケース７内の多段変速プーリ１３、１４におけるベルト１５の係合位置を確認したい場合は、ロアカバー８全体が透明樹脂製のため、アッパカバー９を再度開けなくてもロアカバー８を透した目視で内部の多段変速プーリ１３、１４を確認することができる。多段変速プーリ１３、１４が見えるため、そこに掛かっているベルト１５の位置を容易に知ることができる（図４）。
【００１８】
また、この実施形態では、ロアカバー８全体を透明樹脂で形成したため、両方の多段変速プーリ１３、１４と、ベルト１５の全体が見える。従って、ベルト１５の位置だけでなく、ヘッドケース７の内部の汚れの状況なども知ることができるため、清掃、整備などのメンテナンスを行う上において便利である。
【００１９】
（第２実施形態）図５〜図７は、本発明の第２実施例を示す図である。本実施形態は、前記第１実施形態とほぼ同様の構成要素を備えている。よって、同一又は同等の構成要素については共通の符号を付すとともに、重複する説明を省略する。
【００２０】
この実施形態に係るボール盤１６では、ロアカバー１７を不透明樹脂（金属でも可）で形成すると共に、ロアカバー１７の作業者側に切欠状の窓１８を形成し、そこに透明樹脂（透明部材）１９を嵌め込んだ構造が採用されている（図５，６）。透明樹脂１９の替わりに透明ガラスを用いても良い。
【００２１】
この実施形態によれば、アッパカバー９を開けなくても、窓１８から少なくとも作業者側の多段変速プーリ１３を目視で確認することができるため、ベルト１５の位置を知ることができる（図７）。
【００２２】
また、ロアカバー１７の一部に透明な窓１８を形成する構造なので、不透明な既存のロアカバー１７に対して後作業で透明な窓１８を形成することができ、ロアカバー１７全体を透明なものに交換したりする場合に比べてコストの面で有利である。
【図面の簡単な説明】
【００２３】
【図１】本発明の第１実施形態に係るボール盤を示す側面図。
【図２】ボール盤を示す正面図。
【図３】アッパカバーを開けた状態のヘッドケースを示す正面図。
【図４】ヘッドケースを示す断面図。
【図５】本発明の第２実施形態に係るヘッドケースを示す正面図。
【図６】アッパカバーを開けた状態のヘッドケースを示す正面図。
【図７】ヘッドケースを示す断面図。
【符号の説明】
【００２４】
１、１６  ボール盤
７  ヘッドケース
８、１７  ロアカバー
９  アッパカバー
１３、１４  多段変速プーリ
１５  ベルト
１８  窓
１９  透明樹脂（透明部材）
【図１】
2009066729.tif 000003
【図２】
2009066729.tif 000004
【図３】
2009066729.tif 000005
【図４】
2009066729.tif 000006
【図５】
2009066729.tif 000007
【図６】
2009066729.tif 000008
【図７】
2009066729.tif 000009